(57)【要約】パケット状に配置され、基本的に角柱状のセルハウジング（１０）をそれぞれが有する複数のバッテリセル（１）、特にリチウムイオンバッテリセルを備えるバッテリセルモジュールであって、各セルハウジング（１０）は、ハウジングの高さ（１１）、ハウジングの幅（１２）、及びハウジングの奥行き（１３）の３つの寸法を有する、上記バッテリセルモジュールが提案される。本発明によれば、寸法のうちの２つは、バッテリセルモジュールの全てのバッテリセル（１）において基本的に同一に実現され、第３の寸法は、バッテリセルモジュールの少なくとも２つのバッテリセル（１）において異なって実現される。さらに、本発明に係る少なくとも１つのバッテリセルモジュールを備えるバッテリと、本発明に係る少なくとも１つのバッテリを備える車両と、が提案される。【選択図】図１
2013537683.tif 000002
【特許請求の範囲】
【請求項１】
パケット状に配置され、基本的に角柱状のセルハウジング（１０）をそれぞれが有する複数のバッテリセル（１）、特にリチウムイオンバッテリセルを備えるバッテリセルモジュールであって、各セルハウジング（１０）は、ハウジングの高さ（１１）、ハウジングの幅（１２）、及びハウジングの奥行き（１３）の３つの寸法を有する、前記バッテリセルモジュールにおいて、前記寸法のうちの２つは、前記バッテリセルモジュールの全てのバッテリセル（１）において基本的に同一であり、第３の前記寸法は、前記バッテリセルモジュールの少なくとも２つのバッテリセル（１）において異なることを特徴とする、バッテリセルモジュール。
【請求項２】
同一の前記寸法は、前記ハウジングの高さ（１１）と前記ハウジングの幅（１２）であり、異なる前記寸法は、前記ハウジングの奥行き（１３）である、請求項１に記載のバッテリセルモジュール。
【請求項３】
前記バッテリセルモジュールは、基本的に同じ大きさの１対の締付板（２０、２１）を備え、各一方の締付板（２０）は、前記バッテリセルモジュールの外側のバッテリセルのハウジング壁（１４）に当接し、当該外側のバッテリセル（１）に対して、各他方の前記締付板（２１）の方向に力を加える、請求項１又は２の少なくとも１項に記載のバッテリセルモジュール。
【請求項４】
前記バッテリセルモジュールは、前記バッテリセルのパケットにより形成される外面に当接する少なくとも１つの冷却板（３０）を有する、請求項１〜３の少なくとも１項に記載のバッテリセルモジュール。
【請求項５】
前記バッテリセル（１）は端子（４０）を有し、各バッテリセルモジュールの前記バッテリセル（１）の前記端子（４０）は、その形状的寸法が基本的に同一に形成される、請求項１〜４の少なくとも１項に記載のバッテリセルモジュール。
【請求項６】
請求項１〜５の少なくとも１項に記載の少なくとも１つのバッテリセルモジュールを備えるバッテリ。
【請求項７】
前記バッテリは、請求項４及び５の少なくとも１項に記載の複数のバッテリセルモジュールを有し、第１のバッテリセルモジュール（５０）は、第２のバッテリセルモジュール（６０）の少なくとも１つのバッテリセル（１）の第３の寸法よりも、第３の寸法が大きく又は小さい少なくとも１つのバッテリセル（１）を含み、前記バッテリセルモジュール（５０、６０）に割り当てられる前記冷却板（３０）は基本的に、同一の外形寸法及び同一の形状を有する、請求項６に記載のバッテリ。
【請求項８】
前記バッテリセルモジュールは、上下に積み重なって配置される、請求項６又は７の少なくとも１項に記載のバッテリ。
【請求項９】
請求項６〜８の少なくとも１項に記載の少なくとも１つのバッテリを備える車両、特に、電動式で駆動可能な車両であって、前記バッテリは前記車両の駆動システムと接続される、車両。
【発明の詳細な説明】
【技術分野】
【０００１】
本発明は、パケット状に配置され、基本的に角柱状のセルハウジングをそれぞれが有する複数のバッテリセルを備えるバッテリセルモジュールであって、各セルハウジングが、ハウジングの高さ、ハウジングの幅、及びハウジングの奥行きという３つの寸法を有する、上記バッテリセルモジュールに関する。
【０００２】
さらに、本発明は、本発明に係る少なくとも１つのバッテリセルモジュールを備えるバッテリに関する。
【０００３】
本発明は、本発明に係る少なくとも１つのバッテリを有する車両によって補完される。
【背景技術】
【０００４】
１つ以上のガルバニバッテリセルを備えるバッテリは、電気化学的なエネルギー貯蓄器又はエネルギー変換器として機能する。バッテリ又は各バッテリセルの放電時には、バッテリに蓄えられた化学的エネルギーが、電気化学的な酸化還元反応によって電気的エネルギーに変換される。この電気的エネルギーは、ユーザからの需要に応じて要求されうる。
【０００５】
特にハイブリッド車及び電気自動車においては、直列接続された多数の電気化学的セルから成るリチウムイオンバッテリ又はニッケルメタルハイドライドバッテリが、所謂バッテリパック内で使用される。その際に通常では、バッテリ状態検出部を含むバッテリ管理システムが、安全監視、及び可能な限り長い寿命の保証のために役立つ。
【０００６】
リチウムイオン蓄電池技術では、複数の個別バッテリセルが１つのバッテリへと繋ぎ合わされる。その際に各個別セルは、アクティブなバッテリセル構成要素と電解質とを包み込むためにハウジングを有する。バッテリセルハウジングからは、バッテリセルの電気接続部又は極のみが突き出ている。
【０００７】
独国特許公報第６９０２２８９２号明細書には、複数の個別モジュールユニットから成るモジュール型のバッテリ取付システムが開示されている。この種の個別モジュールユニットは、バッテリセルであってもよい。この基本構成ユニットは、組立キットの原則に従って、ほぼ任意の大きさのバッテリ集合体を形成することが可能である。
【０００８】
独国特許出願公開第１０２００７０５２３７５号明細書には、効果的な冷却が行われるエネルギー貯蓄器と、顧客の様々な要望に従って当該エネルギー貯蓄器を製造することが可能な、当該エネルギー貯蓄器を安価に製造する方法と、が記載されている。独国特許出願公開第１０２００７０５２３７５号明細書で記載される実施形態でも、組立キットシステムの枠組みにおいて使用することが可能な、コンパクトで安価なモジュール型の構成形態が実現される。この場合も、ほぼ任意の数のセルが、モジュールへと相互に接続される。
【発明の概要】
【発明が解決しようとする課題】
【０００９】
以上、同じ使用目的のために構想されたバッテリセル又は同種のバッテリセルが、モジュールへとまとめられることが公知である。しかしながらその際に、様々な種類のバッテリセル、又は利用目的が異なるバッテリセルのことは考慮されていない。例えば、異なる種類の電気自動車で使用されるバッテリは、その構造的な構成及び全体寸法が比較的様々である。これは、一方では、出力に対する様々な要求、他方では、提供される設置空間の様々な状況又は配置位置が原因である。さらに、様々なバッテリセル又はバッテリは、例えば異なる大きさのねじ等の、互いに異なる接合部を有している。バッテリ又はバッテリセルの上記相違によって、その輸送、保管、取扱い、及び組立に比較的コストが掛かることになる。さらに、供給システム、位置決めシステム、固定システム、保守システム、温度調整システム、及び操作システムは、様々なバッテリセル又はバッテリタイプのために使用出来るように、比較的複雑に形成する必要がある。
【課題を解決するための手段】
【００１０】
パケット状に配置され、基本的に角柱状のセルハウジングをそれぞれが有する複数のバッテリセル、特にリチウムイオンバッテリセルを備えるバッテリセルモジュールであって、各セルハウジングが、ハウジングの高さ、ハウジングの幅、及びハウジングの奥行きという３つの寸法を有する、上記バッテリセルモジュールが提供される。本発明に基づいて、寸法のうちの２つは、バッテリセルモジュールの全てのバッテリセルにおいて基本的に同一に構成され、第３の寸法は、バッテリセルモジュールの少なくとも２つのバッテリセルにおいて異なるように構成される。
【００１１】
即ち、第３の寸法の大きさは、バッテリセルごとに異なっていてもよく、その際に、第１の寸法及び第２の寸法の大きさは、各バッテリセルで同じである。
【００１２】
その際に本発明は、リチウムイオンバッテリセルに限定されず、代替的に、他のバッテリセル、例えばニッケルメタルハイドライドバッテリセルも、本発明に基づいて構成し配置することが可能である。
【００１３】
底面上に配置される角柱状のバッテリセルという前提から出発すると、バッテリセルのハウジングの高さは、底面から、最上端でバッテリセルハウジングを閉鎖する上面までの距離である。ハウジングの幅は、底面の稜の長さに相当し、ハウジングの高さに対して直交している。ハウジングの奥行きは、ハウジングの高さ及びハウジングの幅に対して直交しており、方形の底面を有する角柱状のバッテリセルの場合には、底面の第１の稜に対して直交する底面の第２の稜の長さに対応して伸びている。
【００１４】
ハウジング、例えばハウジングの高さの等級において、当該等級に応じたハウジングは、様々な高さを有する。本発明に基づいて、ここでのモジュールのバッテリセルの同一の高さとは、モジュールの全バッテリセルが、高さに関して同一の等級を有し、好適に幅も同一の等級を有することを意味している。
【００１５】
本発明に基づいて、通常のバッテリセルであって、その底面を並べて配置し又は配置することが可能であり、好適に方形の底面を有する角柱状のセルハウジングをそれぞれが有する上記通常のバッテリセルいう前提から出発して、上記底面は、可変的な第３の大きさとしてハウジングの奥行きがバッテリセルごとに異なる場合に、少なくとも２つのバッテリセルにおいて異なる大きさである。これに対して、好適に底面に対して直交する前方の側面及び後方の側面は、各バッテリセルで同じ大きさである。好適に、上記３つの寸法、即ちハウジングの高さ、ハウジングの幅、及びハウジングの奥行きは、バッテリセルの、容積を決定する寸法であり、即ちバッテリセルは、本来の角柱状のセルハウジング以外の容積エレメントを有さない。バッテリセルはパケット状に配置され、その際に場合によっては、バッテリセル間に１つ以上の中間層を設けることが可能である。しかしながら、この中間層は、バッテリセルの奥行きとの関係で比較的薄く実現され、従って、パケット状に配置されたバッテリセルは、コンパクトなモジュールを形成する。
【発明の効果】
【００１６】
本発明の利点は特に、バッテリセルの少なくとも２つの形状的寸法を統一することに基づき、その適用、保管、取扱い、輸送、組立におけるバッテリセルモジュールの周辺の形状的パラメータを統一する可能性が生じることである。例えばハウジングの高さ及びハウジングの幅が同一で、バッテリセルモジュールの個々のバッテリセルの奥行きのみが異なる場合には、バッテリセルモジュール全体の２つの形状的寸法、即ち、モジュールの幅及びモジュールの高さも固定的に設定される。個々のバッテリセルの様々な奥行きにより定められるバッテリセルモジュールの長さにのみ、バッテリセルモジュールのバリエーションが現れる。特別な構成において、利用される個々のバッテリセルの奥行きが異なるにも関わらず、当該バッテリセルから形成されるモジュールは、同一の長さを有しうる。同一のモジュール幅及び同一のモジュールの高さを確実に遵守することにより、輸送システム、保管システム、供給システム、位置決めシステム、固定システム、保守システム、温度調整システム、及び操作システムを統一的に設定し、場合によっては、奥行き又は長さのみ可変的に構成することが可能である。これにより、輸送システム、保管システム、供給システム、及び操作システムが、統一的に又はより簡単に形成される。上記システムにより実施されるプロセスは、より予測可能である。温度調整システム及び監視システムは、より僅かな部分コストで構想される。寸法の統一によってさらに、バッテリセル又はバッテリの開発プロセスに対して加速度的に作用する更なるバッテリ開発のための制限が設けられる。
【００１７】
好適に、同一の寸法は、ハウジングの高さとハウジングの幅であり、少なくとも２つのバッテリセルを区別する寸法は、ハウジングの奥行きである。従って、ハウジングの奥行きは、各バッテリセル間の容積差について決定的である。セルの所望の容量が大きいほど、バッテリセルの奥行きは大きいべきであろう。
【００１８】
好適に、本発明に係るバッテリセルモジュールは、基本的に同じ大きさの１対の締付板を備え、各一方の締付板は、バッテリセルモジュールの外側のバッテリセルの外側のハウジング壁に当接し、当該外側のバッテリセルに対して、各他方の締付板の方向に力を加える。締付力は、例えば、締付ボルト又は締付ベルトのような適切な締付装置を用いて、場合によってはばねエレメントを援用して実現される。本発明の本実施形態の利点は、様々なバッテリセルを利用するにも関わらず、同じ締付板を利用出来ることである。
【００１９】
更なる別の有利な構成において、本発明に係るバッテリセルモジュールが、バッテリセルのパケットにより形成される外面に当接する少なくとも１つの冷却板を有することが構想される。この共通の外面は、個々のバッテリセルの各外面によって、従って例えばバッテリセルのパケットの下面上に形成され、従って、バッテリセルの複数の下面、好適に全ての下面が冷却板に接触する。同一の寸法、例えばバッテリセルの同一の幅に基づいて、好適に、この基準幅に対して調整された各幅を有する冷却板が使用される。冷却板の長さのみ、各バッテリセルモジュールの長さに応じて異なってもよい。この種の規格化された冷却板を製造するために、より僅かな製造及び組立コストが掛かり、より簡単でより少ない製造手段が使用されることは明らかである。
【００２０】
さらに、各バッテリセルモジュールのバッテリセルの端子は、その形状的寸法が基本的に同一に形成されうる。好適に、端子は、例えばねじの形状をした接合オプションのような、同一の形状エレメントを含む。例えば、全端子にねじＭ８を備えることが構想されうる。その際に、端子という概念において、バッテリセルの内部の巻線と導電接続された、バッテリセルハウジングから突き出たバッテリセル極が解される。本発明の本構成の利点は、様々な種類のセルコネクタの数が減り、セルコネクタの組立が簡素化されることである。
【００２１】
本発明はさらに、本発明に係る少なくとも１つのバッテリセルモジュールを備えたバッテリ、特にリチウムイオンバッテリに関する。出力に対する要求に応じて、バッテリは、本発明に係るこの種のバッテリセルモジュールを複数有することが可能である。
【００２２】
その際にこのようなバッテリは、第１のバッテリセルモジュールが、第２のバッテリセルモジュールの少なくとも１つのバッテリセルの第３の寸法よりも、第３の寸法が大きく又は小さい少なくとも１つのバッテリセルを含み、かつ、上記２つのバッテリセルモジュールに割り当てられる冷却板が基本的に同一の外形寸法及び同一の形状を有するように構成されてもよい。一変形例において、モジュールの全バッテリセルは同一の第３の寸法を有し、即ち、この第３の寸法の大きさはモジュールの全バッテリセルで同じである。その際、１のモジュールのバッテリセル全体を、他のモジュールに割り当てられた冷却板と基本的に同じ外形寸法を有する冷却板上に配置しうるように、様々な数のバッテリセルをモジュールへと繋ぎ合わせることが可能である。本構成の利点は、第３の寸法が異なるにも関わらず、例えば、個々のモジュール内の個々のバッテリセルの奥行きが異なり、バッテリセルの数が異なるにも関わらず、同じ冷却板が使用出来ることである。
【００２３】
本発明に係るバッテリの特別な実施形態において、バッテリセルモジュールを上下に積み重ねて配置することが構想される。底面の同一の外形寸法に基づいて、特に、個々のバッテリセルの奥行きが異なるにも関わらずモジュールが同じ長さを有するようにバッテリセルがモジュールへとまとめられる場合に、バッテリセルモジュールは、積み重ねられることに特に良好に適している。場合によってモジュールの長さが異なる際には、ずらした積み重ねが実現され、バッテリセルの積み重ねの安定が改善される。即ち、本発明に基づいて、バッテリセルは、同様に組立キットシステムにおいて、上下に配置されてバッテリへと構成されうる。
【００２４】
本発明はさらに、本発明に係るバッテリセルモジュールを備えた少なくとも１つのバッテリを有する車両、特に電動式で駆動可能な車両であって、バッテリが車両の駆動システムと接続される、上記車両に関する。
【図面の簡単な説明】
【００２５】
本発明の実施例が、図面及び以下の明細書の記載によって、より詳細に解説される。
【図１】バッテリセルモジュールの透視図を示す。
【図２】２つのバッテリセルモジュールを上から眺めた図を示す。
【図３】１つのバッテリセルモジュールを上から眺めた図を示す。
【発明を実施するための形態】
【００２６】
図１から、本発明に係るバッテリセルモジュールの概略的な構成が分かる。本発明に係るバッテリセルモジュールは、個々のバッテリセル１から構成される。各バッテリセル１は、容積を定めるセルハウジング１０を有する。バッテリセル１がそれぞれ、同一のハウジングの高さ１１及び同一のハウジングの幅１２を有することが明確に分かる。
【００２７】
示される各バッテリセルはそれぞれ、異なるハウジングの奥行き１３を有する。従って、示される各バッテリセル１は異なる容積を有する。容積が異なり、従って容量が異なるバッテリセル１を利用するにも関わらず、バッテリセル１は図１に示すように配置され、従って、例えば簡単な形態で一緒に輸送し、保管し、又は組み立てることが可能である。バッテリセル１は、上面にそれぞれ端子４０を有する。この端子４０は、好適にその形状的な外形寸法、及び／又は、接合オプションに関して同様に同一に実現され、従って、バッテリセルを互いに接続するために、及び他のバッテリと接続するために同種のコネクタを使用することが可能である。
【００２８】
パケットにまとめられた個々のバッテリセル１は、モジュールとして冷却板３０上に配置され、及び／又は、当該冷却板３０により覆われる。図２に示すように、例えば冷却板３０上に、第１のバッテリセルモジュール５０、及び、第２のバッテリセルモジュール６０を配置することが可能である。しかしながら、図３によれば、図２の冷却板と同じ形状的な外形寸法を有する冷却板３０上に、バッテリセルモジュールを１つだけ配置することも可能である。図２で利用されるバッテリセル１のハウジングの奥行き１３がより小さいため、冷却板３０上には、図３の冷却板３０上のバッテリセルの２倍の数のバッテリセルが配置される。
【００２９】
しかしながら本発明は、より長い冷却板３０上に２つのバッテリセルモジュール５０、６０が配置されることに限定されず、当該冷却板３０上に、２倍の数のバッテリセル１を有する、図３のようなバッテリセルモジュールを１つだけ配置することも可能であろう。
【００３０】
従って各モジュール長７０は、個々のバッテリセル１の様々な奥行き１３によって、及びモジュールごとに配置されるバッテリセル１の数によって決定される。
【００３１】
図２及び図３で示されるバッテリセルは、図１で示したように、様々なハウジングの奥行き１３を有することが可能であり、従ってモジュール長７０の更なるバリエーションが生れうる。
【００３２】
有利に、バッテリモジュール内の所定数のバッテリセル１が、第１の締付板２０及び第２の締付板２１を用いて１つにまとめられる。各締付板２０、２１は、各外側のバッテリセル１４のハウジング壁に当接し、適切な締付手段によって、それぞれ他方の締付板の方向に引っ張られ又は押圧される。同一のハウジングの高さ１１及び同一のハウジングの幅１２を有するバッテリセル１を利用することにより、同様に同じ大きさの締付板が利用され、従って、締付板の製造及び組立に関してより少ないコストが必要となる。
【図１】
2013537683.tif 000003
【図２】
2013537683.tif 000004
【図３】
2013537683.tif 000005
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
パケット状に配置され、角柱状のセルハウジング（１０）をそれぞれが有する複数のバッテリセル（１）を備えるバッテリセルモジュールであって、各セルハウジング（１０）は、ハウジングの高さ（１１）、ハウジングの幅（１２）、及びハウジングの奥行き（１３）の３つの寸法を有する、前記バッテリセルモジュールにおいて、前記寸法のうちの２つは、前記バッテリセルモジュールの全てのバッテリセル（１）において同一であり、第３の前記寸法は、前記バッテリセルモジュールの少なくとも２つのバッテリセル（１）において異なることを特徴とする、バッテリセルモジュール。
【請求項２】
同一の前記寸法は、前記ハウジングの高さ（１１）と前記ハウジングの幅（１２）であり、異なる前記寸法は、前記ハウジングの奥行き（１３）である、請求項１に記載のバッテリセルモジュール。
【請求項３】
前記バッテリセルモジュールは、同じ大きさの１対の締付板（２０、２１）を備え、各一方の締付板（２０）は、前記バッテリセルモジュールの外側のバッテリセルのハウジング壁（１４）に当接し、当該外側のバッテリセル（１）に対して、各他方の前記締付板（２１）の方向に力を加える、請求項１又は２の少なくとも１項に記載のバッテリセルモジュール。
【請求項４】
前記バッテリセルモジュールは、前記バッテリセルのパケットにより形成される外面に当接する少なくとも１つの冷却板（３０）を有する、請求項１〜３の少なくとも１項に記載のバッテリセルモジュール。
【請求項５】
前記バッテリセル（１）は端子（４０）を有し、各バッテリセルモジュールの前記バッテリセル（１）の前記端子（４０）は、その形状的寸法が同一に形成される、請求項１〜４の少なくとも１項に記載のバッテリセルモジュール。
【請求項６】
前記バッテリセル（１）は、リチウムイオンバッテリセルである、請求項１〜５の少なくとも１項に記載のバッテリセルモジュール。
【請求項７】
請求項１〜６の少なくとも１項に記載の少なくとも１つのバッテリセルモジュールを備えるバッテリ。
【請求項８】
前記バッテリは、請求項４及び５の少なくとも１項に記載の複数のバッテリセルモジュールを有し、第１のバッテリセルモジュール（５０）は、第２のバッテリセルモジュール（６０）の少なくとも１つのバッテリセル（１）の第３の寸法よりも、第３の寸法が大きく又は小さい少なくとも１つのバッテリセル（１）を含み、前記バッテリセルモジュール（５０、６０）に割り当てられる前記冷却板（３０）は、同一の外形寸法及び同一の形状を有する、請求項７に記載のバッテリ。
【請求項９】
前記バッテリセルモジュールは、上下に積み重なって配置される、請求項７又は８の少なくとも１項に記載のバッテリ。
【請求項１０】
請求項７〜９の少なくとも１項に記載の少なくとも１つのバッテリを備える車両であって、前記バッテリは前記車両の駆動システムと接続される、車両。
【請求項１１】
前記車両は、電動式で駆動可能である、請求項１０に記載の車両。
【国際調査報告】
2013537683.tif 000006
2013537683.tif 000007
2013537683.tif 000008
2013537683.tif 000009
2013537683.tif 000010
2013537683.tif 000011